【手続補正書】
【提出日】平成17年11月22日(2005.11.22)
【手続補正１】
【補正対象書類名】明細書
【補正対象項目名】特許請求の範囲
【補正方法】変更
【補正の内容】
【特許請求の範囲】
【請求項１】
酸素供給源からの酸素を使用に供するために前記酸素を供給する流量を所定レベルに設定するための流量設定手段と、前記酸素に湿気を与えるための加湿手段とを経由させて酸素供給管を介して酸素吸入手段により加湿酸素を供給する酸素濃縮装置であって、
前記加湿手段と加湿酸素の供給手段との間に、前記加湿酸素の流速を検知するための流速検知手段と、前記加湿酸素の湿度を検知するための湿度検知手段とを備えることを特徴とする酸素濃縮装置。
【請求項２】
前記流速検知手段により検知された流速と、前記湿度検知手段により検知された湿度とに基づいて、前記加湿酸素の流量を演算するための演算手段と、前記設定された流量と、前記演算された流量とを比較するための第１の比較手段と、前記第１の比較手段の比較結果を報知するための報知手段とを備えることを特徴とする請求項１に記載の酸素濃縮装置。
【請求項３】
前記流量設定手段と前記加湿手段との間に圧力検出手段と、前記圧力検出手段により測定された圧力のレベルを判定する圧力判定手段とを更に備えることを特徴とする請求項２に記載の酸素濃縮装置。
【請求項４】
前記報知手段は、警報報知手段を備え、前記第１の比較手段において、前記設定された流量に対する前記演算された流量の比率が第１の閾値を下回る場合に、前記警報報知手段が警報を報知することを特徴とする請求項３又は請求項４に記載の酸素濃縮装置。
【請求項５】
前記比率が第１の閾値を下回り、かつ、前記圧力判定手段において前記圧力が第２の閾値を越えるレベルにあると判定された場合には、前記酸素供給管における異常を前記警報報知手段が報知することを特徴とする請求項４に記載の酸素濃縮装置。
【請求項６】
前記比率が第１の閾値を下回り、かつ、前記圧力判定手段において前記圧力が第３の閾値を下回るレベルにあると判定された場合には、前記加湿手段における異常を前記警報報知手段が報知することを特徴とする請求項４に記載の酸素濃縮装置。
【請求項７】
前記報知手段は、前記酸素濃縮装置の動作が正常である旨の報知を行うための正常動作報知手段を備え、前記第１の比較手段において、前記設定された流量に対する前記演算された流量の比率が、第１の閾値を越える場合には、前記正常動作報知手段により正常動作の報知がなされることを特徴とする請求項２又は請求項３に記載の酸素濃縮装置。
【請求項８】
前記報知手段は、前記比率に応じて点滅または点灯することにより報知することを特徴とする請求項２または請求項３に記載の酸素濃縮装置。
【請求項９】
前記検知された湿度のレベルを判定するための湿度判定手段を更に備え、前記湿度判定手段における判定結果を前記報知手段により報知することを特徴とする請求項２乃至請求項８のいずれか１項に記載の酸素濃縮装置。
【請求項１０】
前記検知された湿度が所定のレベルを下回ると判定された場合には、前記報知手段により、前記加湿手段内の水分の不足が報知されることを特徴とする請求項９に記載の酸素濃縮装置。
【請求項１１】
酸素供給源からの酸素を使用に供するために前記酸素を供給する流量を所定レベルに設定するための流量設定手段と、前記酸素に湿気を与えるための加湿手段とを経由させて酸素供給管を介して酸素吸入手段により加湿酸素を供給する酸素濃縮装置であって、
前記加湿手段と加湿酸素の供給手段との間に配置され、前記加湿酸素の流速を検知するための流速検知手段と、前記加湿酸素の湿度を検知するための湿度検知手段とを含む流量検知手段と、
前記流量設定手段と前記加湿手段との間に配置され、前記加湿手段に供給される前記加湿酸素の圧力を検知するための圧力検知手段と、
前記流量検知手段により検知された流量と、前記流量設定手段により設定された流量とを比較して、前記加湿酸素の流量レベルを検知するための流量レベル検知手段と、
前記検知された流量レベルが所定のレベルを下回る期間を計時するための計時手段と、前記計時手段において計時された期間が所定の期間を越える場合に、前記圧力検知手段により検知される圧力に応じて、前記酸素濃縮装置の動作状態を報知する報知手段と
を備えることを特徴とする酸素濃縮装置。
【請求項１２】
酸素供給源からの酸素を使用に供するために前記酸素を供給する流量を所定レベルに設定するための流量設定手段と、前記酸素に湿気を与えるための加湿手段とを経由させて酸素供給管を介して酸素吸入手段により加湿酸素を供給する酸素濃縮装置であって、前記加湿手段と加湿酸素の供給手段との間に、前記加湿酸素の流速を検知するための流速検知手段と、前記加湿酸素の湿度を検知するための湿度検知手段と、前記流量設定手段と前記加湿手段との間に圧力検出手段と、前記装置の動作状態を報知するための報知手段とを備えることを特徴とする酸素濃縮装置の制御方法であって、前記流速検知手段において検知された流速と、前記湿度検知手段により検知された湿度とに基づいて、前記加湿酸素の流量を演算する演算工程と、前記流量設定手段により設定された流量に基づいて前記演算された流量のレベルを判定する流量判定工程と、前記湿度検知手段によって検知された湿度のレベルを判定する湿度判定工程と、前記圧力検知手段によって検知された圧力のレベルを判定する圧力判定工程と、前記流量判定工程と、前記湿度判定工程と、前記圧力判定工程との少なくともいずれかにおける判定結果に基づく報知内容により前記報知手段による報知を制御する制御工程とを備えることを特徴とする酸素濃縮装置の制御方法。
【請求項１３】
前記流量判定工程において、前記演算された流量のレベルが、第１の閾値を下回るレベルに低下すると判定され、前記圧力判定工程において、前記検知された圧力のレベルが第２の閾値を上回るレベルに上昇したと判定された場合に、前記制御工程において、前記酸素供給管における異常を示す報知内容において、前記報知手段による報知がなされることを特徴とする請求項１２に記載の酸素濃縮装置の制御方法。
【請求項１４】
前記流量判定工程において、前記演算された流量のレベルが、第１の閾値を下回るレベルに低下すると判定され、前記圧力判定工程において、前記検知された圧力のレベルが第３の閾値を下回るレベルに低下したと判定された場合に、前記制御工程において、前記加湿手段における異常を示す報知内容において、前記報知手段による報知がなされることを特徴とする請求項１２に記載の酸素濃縮装置の制御方法。
【請求項１５】
前記湿度判定工程において前記検知された湿度のレベルが第４の閾値を下回るレベルに低下した場合に、前記制御工程において、前記加湿手段における水分の不足を示す報知内容において、前記報知手段による報知がなされることを特徴とする請求項１２に記載の酸素濃縮装置の制御方法。
【請求項１６】
酸素供給源からの酸素を使用に供するために前記酸素を供給する流量を所定レベルに設定するための流量設定手段と、前記酸素に湿気を与えるための加湿手段とを経由させて酸素供給管を介して酸素吸入手段により加湿酸素を供給する酸素濃縮装置であって、前記加湿手段と加湿酸素の供給手段との間に配置され、前記加湿酸素の流速を検知するための流速検知手段と、前記加湿酸素の湿度を検知するための湿度検知手段とを含む流量検知手段と、前記流量設定手段と前記加湿手段との間に配置され、前記加湿手段に供給される前記加湿酸素の圧力を検知するための圧力検知手段とを備える酸素濃縮装置の制御方法であって、
前記流量検知手段により検知された流量と、前記流量設定手段により設定された流量とを比較して、前記加湿酸素の流量レベルを検知するための流量レベル検知工程と、
前記検知された流量レベルが所定のレベルを下回る期間を計時するための計時工程と、
前記計時工程において計時された期間が所定の期間を越える場合に、前記圧力検知手段により検知される圧力に応じて、前記酸素濃縮装置の動作状態を報知する報知工程と
を備えることを特徴とする酸素濃縮装置の制御方法。
【手続補正２】
【補正対象書類名】明細書
【補正対象項目名】０００９
【補正方法】変更
【補正の内容】
【０００９】
上記課題を解決しかつ当該目的を達成するための本発明は、酸素供給源からの酸素を使用に供するために前記酸素を供給する流量を所定レベルに設定するための流量設定手段と、前記酸素に湿気を与えるための加湿手段とを経由させて酸素供給管を介して酸素吸入手段により加湿酸素を供給する酸素濃縮装置であって、前記加湿手段と加湿酸素の供給手段との間に、前記加湿酸素の流速を検知するための流速検知手段と、前記加湿酸素の湿度を検知するための湿度検知手段とを備える。また、酸素供給源からの酸素を使用に供するために前記酸素を供給する流量を所定レベルに設定するための流量設定手段と、前記酸素に湿気を与えるための加湿手段とを経由させて酸素供給管を介して酸素吸入手段により加湿酸素を供給する酸素濃縮装置であって、前記加湿手段と加湿酸素の供給手段との間に配置され、前記加湿酸素の流速を検知するための流速検知手段と、前記加湿酸素の湿度を検知するための湿度検知手段とを含む流量検知手段と、前記流量設定手段と前記加湿手段との間に配置され、前記加湿手段に供給される前記加湿酸素の圧力を検知するための圧力検知手段と、前記流量検知手段により検知された流量と、前記流量設定手段により設定された流量とを比較して、前記加湿酸素の流量レベルを検知するための流量レベル検知手段と、
前記検知された流量レベルが所定のレベルを下回る期間を計時するための計時手段と、前記計時手段において計時された期間が所定の期間を越える場合に、前記圧力検知手段により検知される圧力に応じて、前記酸素濃縮装置の動作状態を報知する報知手段と
を備えることを特徴とする。
【手続補正３】
【補正対象書類名】明細書
【補正対象項目名】００１１
【補正方法】変更
【補正の内容】
【００１１】
上記課題を解決するための本発明の別の側面では、酸素供給源からの酸素を使用に供するために前記酸素を供給する流量を所定レベルに設定するための流量設定手段と、前記酸素に湿気を与えるための加湿手段とを経由させて酸素供給管を介して酸素吸入手段により加湿酸素を供給する酸素濃縮装置であって、前記加湿手段と加湿酸素の供給手段との間に、前記加湿酸素の流速を検知するための流速検知手段と、前記加湿酸素の湿度を検知するための湿度検知手段と、前記流量設定手段と前記加湿手段との間に圧力検出手段と、前記装置の動作状態を報知するための報知手段とを備えることを特徴とする酸素濃縮装置において、前記流速検知手段において検知された流速と、前記湿度検知手段により検知された湿度とに基づいて、前記加湿酸素の流量を演算し、前記流量設定手段により設定された流量に基づいて前記演算された流量のレベルを判定し、前記湿度検知手段によって検知された湿度のレベルを判定し、前記圧力検知手段によって検知された圧力のレベルを判定し、以上の少なくともいずれかにおける判定結果に基づく報知内容により前記報知手段による報知を制御することを特徴とする。また、酸素供給源からの酸素を使用に供するために前記酸素を供給する流量を所定レベルに設定するための流量設定手段と、前記酸素に湿気を与えるための加湿手段とを経由させて酸素供給管を介して酸素吸入手段により加湿酸素を供給する酸素濃縮装置であって、前記加湿手段と加湿酸素の供給手段との間に配置され、前記加湿酸素の流速を検知するための流速検知手段と、前記加湿酸素の湿度を検知するための湿度検知手段とを含む流量検知手段と、前記流量設定手段と前記加湿手段との間に配置され、前記加湿手段に供給される前記加湿酸素の圧力を検知するための圧力検知手段とを備える酸素濃縮装置の制御方法であって、前記流量検知手段により検知された流量と、前記流量設定手段により設定された流量とを比較して、前記加湿酸素の流量レベルを検知するための流量レベル検知工程と、前記検知された流量レベルが所定のレベルを下回る期間を計時するための計時工程と、前記計時工程において計時された期間が所定の期間を越える場合に、前記圧力検知手段により検知される圧力に応じて、前記酸素濃縮装置の動作状態を報知する報知工程とを備えることを特徴とする。